(57)【要約】      （修正有）【課題】マイナスイオン効果による顔の皮膚の活性化が可能なフェイスブラシを提供する。【解決手段】把手１の先端にローラ状回転ブラシ２、２が設けられ、ローラ状回転ブラシ２のブラシ毛２ａにナチュラルセラミックスと特殊アパタイトとが配合されているフェイスブラシである。ローラ状回転ブラシ２，２は、平行状に一対設けられ、それらの回転軸が把手１の長さ方向に直交するものと設定されている。使用者が把手１をもってブラシ毛２ａを顔面の皮膚に接触させて把手１を軸方向に操作すると、ローラ状回転ブラシ２が回転し、摩擦力と軽い押圧力により皮膚が刺激されると共に、ブラシ毛２ａに配合されたナチュラルセラミックスから発せられるマイナスイオン効果と、特殊アパタイトによる細菌類の吸着機能、脂質や過酸化脂質の吸着機能とにより皮膚の活性化が図られる。【選択図】図１
0003167445.tif 000002
【実用新案登録請求の範囲】
【請求項１】
把手の先端にローラ状回転ブラシが設けられ、ローラ状回転ブラシを顔に押し付けて把手を軸方向に操作によりローラ状回転ブラシが回転するフェイスブラシであって、
前記ローラ状回転ブラシのブラシ毛にナチュラルセラミックスが配合されていることを特徴とするフェイスブラシ。
【請求項２】
把手の先端にローラ状回転ブラシが設けられ、ローラ状回転ブラシを顔に押し付けて把手を軸方向に操作によりローラ状回転ブラシが回転するフェイスブラシであって、
前記ローラ状回転ブラシのブラシ毛にナチュラルセラミックスと特殊アパタイトとが配合されていることを特徴とするフェイスブラシ。
【請求項３】
前記ローラ状回転ブラシは、平行状に一対設けられ、それらの回転軸が把手の長さ方向に直交する構成である請求項１又は２に記載のフェイスブラシ。
【考案の詳細な説明】
【技術分野】
【０００１】
本考案は、フェイスブラシ、特にローラ状ブラシが皮膚と平行な軸回りに回転してスキンケアを行うフェイスブラシに関する。
【背景技術】
【０００２】
従来、顔の皮膚をマッサージし、スキンケアするための美容器具として種々の美容器具が提案されており、その中には皮膚上にローラを転がし、ローラの摩擦力と押圧力との相乗作用によって皮膚にマッサージ効果を与えるローラ式のものが存在する（特許文献１〜３参照）。
【０００３】
ところで、以前から種々の分野でマイナスイオン効果を謳った製品が多々開発されている。マイナスイオンは、酸化物質を中和してアルカリ性に傾けることが知られているので、人の皮膚がマイナスイオンを浴びた場合を想定すると、皮膚の酸化した細胞間質液が弱アルカリ性に導かれることにより、細胞内に酸素と栄養成分を十分に吸収でき、細胞の機能が活発となる。その結果、身体が本来秘めている防御機能と自然治癒力が高まり、皮膚の活性化を促すことになるものである。そのような皮膚の活性化を促すことができるのが、マイナスイオン効果のひとつである。
【０００４】
しかしながら、従来のローラ式美容器具にマイナスイオン効果を期待できるものはなかった。
【先行技術文献】
【特許文献】
【０００５】
【特許文献１】特開２００６−５５４８９号公報
【特許文献２】実用新案登録第２５２２１６６号公報
【特許文献３】実公平６−２７１４１号公報
【考案の概要】
【考案が解決しようとする課題】
【０００６】
本考案は、このような技術的背景に鑑みてなされたもので、その目的は、マイナスイオン効果を十分に発揮できるフェイスブラシを提供することにある。
【課題を解決するための手段】
【０００７】
前記目的を達成するために、本考案のフェイスブラシは、下記［１］〜［３］の構成を有する。
【０００８】
［１］把手の先端にローラ状回転ブラシが設けられ、ローラ状回転ブラシを顔に押し付けて把手を軸方向に操作によりローラ状回転ブラシが回転するフェイスブラシであって、
前記ローラ状回転ブラシのブラシ毛にナチュラルセラミックスが配合されていることを特徴とするフェイスブラシ。
［２］把手の先端にローラ状回転ブラシが設けられ、ローラ状回転ブラシを顔に押し付けて把手を軸方向に操作によりローラ状回転ブラシが回転するフェイスブラシであって、
前記ローラ状回転ブラシのブラシ毛にナチュラルセラミックスと特殊アパタイトとが配合されていることを特徴とするフェイスブラシ。
［３］前記ローラ状回転ブラシは、平行状に一対設けられ、それらの回転軸が把手の長さ方向に直交する構成である。
【考案の効果】
【０００９】
本考案は、以下の効果を奏する。
［１］の構成のフェイスブラシでは、顔の皮膚に押し付けられて回転するローラ状回転ブラシのブラシ毛にナチュラルセラミックスが配合されている。顔の皮膚に押し付けられてローラ状回転ブラシが回転することにより、摩擦力と軽い押圧力とによる皮膚の刺激に、ナチュラルセラミックスから発せられるマイナスイオンが加わり、高いマイナスイオン効果、及びこれによる皮膚の活性化効果が得られる。
［２］の構成のフェイスブラシでは、顔の皮膚に押し付けられて回転するローラ状回転ブラシのブラシ毛にナチュラルセラミックと特殊アパタイトとが配合されている。顔の皮膚に押し付けられてローラ状回転ブラシが回転することにより、従って、ローラ状回転ブラシが回転することにより、摩擦力と軽い押圧力とによる皮膚の刺激に、ナチュラルセラミックスから発せられるマイナスイオンの効果と、特殊アパタイトによる高い細菌吸着機能等が加わり、特に高い皮膚の活性化効果が得られる。
［３］の構成のフェイスブラシでは、ローラ状回転ブラシは、平行状に一対設けられ、それらの回転軸が把手の長さ方向に直交する構成である。ダブルローラ方式であるので、摩擦力と軽い押圧力とによる皮膚の刺激の効果、ナチュラルセラミックによるマイナスイオン効果、特殊アパタイトによる細菌吸着機能等のいずれもが高い。
【図面の簡単な説明】
【００１０】
【図１】本考案のフェイスブラシの斜視図である。
【図２】同ブラシの分解状態の斜視図である。
【図３】図１のＩ−Ｉ線断面図である。
【図４】同ブラシの使用状態を示す斜視図である。
【考案を実施するための形態】
【００１１】
本考案に係るフェイスブラシＡの実施形態を、図面を参照しながら具体的かつ詳細に説明する。
【００１２】
この実施形態のフェイスブラシＡは、片手で把持できる大きさに形成された把手１の先端にローラ状回転ブラシ収容部３が設けられ、該ローラ状回転ブラシ収容部３に前後一対のローラ状回転ブラシ２，２が収容されている。個々のローラ状回転ブラシ２は、把手１の軸方向の往復操作に伴って回転するように、回転軸が把手１の長さ方向に直交すると共に把手１の背面に平行し、かつ周方向の一部がブラシ収容部３から露出した状態で支持されている。
【００１３】
個々のローラ状回転ブラシ２は又、図２及び図３に示すように、薄い円形の放射状羽根５を厚み方向に重ね、中心部を貫通する軸６により支持連結したものである。各放射状羽根５は、ナイロン糸束を周囲へ開いて中心部を環状に溶着して製造されたもので、環状でディスク状の溶着部から周囲へブラシ毛２ａが放射状に突出した構成になっている。
【００１４】
一方、ローラ状回転ブラシ収容部３は、把手１に連設され上下両面が開口し先端側へ突出した平面視コ字状枠８により構成されており、平面視コ字状枠８の両側対向内壁には、前記円柱状回転体５の軸６の両端部を回転可能状態に支持する支持凹部９が設けられている。
【００１５】
このローラ状回転ブラシ収容部３においては、図１〜図３に示すように、ローラ状回転ブラシ２が露出しない反対側の開口面に閉塞体１０が嵌着され、ローラ状回転ブラシ２がローラ状回転ブラシ収容部３から抜脱する事態が回避される。すなわち、前記閉塞体１０は、下面に前記支持凹部９に嵌り込む挿入部１０ａを有しており、挿入部１０ａの長さは、該挿入部１０の支持凹部９ａへの挿入状態において、該挿入部１０ａの先端と支持凹部９の底部との間に、前記ローラ状回転ブラシの突部６を挟んでなおかつ僅かな隙間が生じるよう設定され、ローラ状回転ブラシの自由な回転が保証されている。
【００１６】
なお、図中３ａは、ローラ状回転ブラシ収容部３の内壁に設けられた閉塞体受け部である。
【００１７】
そして、ローラ状回転ブラシ２を構成しナイロン糸束から製造される放射状羽根５においては、原料糸として、ナチュラルセラミックスと特殊アパタイトとが配合されたナイロン糸が使用されている。このナイロン糸は、川西商事株式会社から提供されるもので、ローラ状回転ブラシ２におけるブラシ毛２ａに次のような特殊で機能的かつ効果的な機能を付与する。
【００１８】
前記ナチュラルセラミックスとは、2000万年前、地球上において二つのプレートがぶつかり合って起きた大規模な地殻変動により、10,000気圧の超高圧と超高温で生成されたと推定される中央構造線上にある領家変成帯の石英片岩の一種（珪酸を主成分：含有率84％）とし、その結晶組織の特異性から極めて高い強度を有し、耐摩擦性・耐衝撃性・耐熱性・耐薬品性に優れると共に、マイナスイオンを大量に発生し、脱臭効果にも優れ、遠赤外線放射量も多いセラミックスのことである。
【００１９】
また、特殊アパタイトとは、例えばリン酸カルシウムの一種であるハイドロキシアパタイト（通称ＨＡＰ）であり、細菌類の吸着機能、脂質や過酸化脂質の吸着機能を有するものである。
【００２０】
フェイスブラシＡは、図４に示すように、使用者が把手１をもってブラシ毛２ａを顔面の皮膚に接触させて把手１を上下動させるように使用される。そうすると、ローラ状回転ブラシ２が回転し、摩擦力と軽い押圧力により皮膚が刺激されると共に、ブラシ毛２ａに配合されたナチュラルセラミックスから発せられるマイナスイオン効果と、特殊アパタイトによる細菌類の吸着機能、脂質や過酸化脂質の吸着機能とにより、皮膚の活性化が効果的に図られることになる。
【００２１】
把手１の上下動によりローラ状回転ブラシ２を回転させることができるので、使用勝手が良い。
【００２２】
なお、本考案のフェイスブラシＡは、主として顔面に用いられるものであるが、顔面以外の皮膚に使用しても所期するマイナスイオン効果及び特殊アパタイトによる効果が得られることは言うまでもない。
【符号の説明】
【００２３】
Ａ：フェイスブラシ
１：把手
２：ローラ状回転ブラシ
２ａ：ブラシ毛
３：ローラ状回転ブラシ収容部
【図１】
0003167445.tif 000003
【図２】
0003167445.tif 000004
【図３】
0003167445.tif 000005
【図４】
0003167445.tif 000006